(57)【要約】【課題】  簡単な操作で、特定のバスなど、特定の定位位置に音像を設定することができる音像定位制御装置を提供することを目的とする。【解決手段】  複数の入力チャンネルの各音響信号に関して音像の定位位置を制御する音像定位制御装置であって、音像の定位位置を直接的に特定位置に設定することを指示するための指示操作子を設ける。また、予め決められた位置に配置されるｎ個のスピーカーに対応するｎ本のバスと、操作対象の入力チャンネルの音響信号の音像定位を制御するｎ個の係数を生成する係数生成部と、操作対象の入力チャンネルの音響信号のレベルを、前記ｎ個の係数でそれぞれ制御し、得られたｎ個の音響信号を前記ｎ本のバスへそれぞれ供給するレベル制御部とを設け、ユーザによる指示操作子の操作が検出されたとき、前記特定位置に対応するｎ個の係数を生成するよう、前記係数生成部を設定する。【選択図】  図５
2016096420.tif 000002
【特許請求の範囲】
【請求項１】
複数の入力チャンネルの各音響信号に関して、その音響信号の音像の定位を制御する音像定位制御装置であって、
ユーザから特定位置指示を受け付けるための指示操作子と、
予め決められた位置に配置されるｎ個のスピーカーに対応するｎ本の混合バスと、
１つの入力チャンネルの音響信号の定位を制御するｎ個の係数を生成する係数生成部と、
その入力チャンネルの音響信号のレベルを、前記ｎ個の係数でそれぞれ制御し、得られたｎ個の音響信号を前記ｎ本の混合バスへそれぞれ供給するレベル制御部と、
ユーザによる前記特定位置指示が検出されたとき、前記特定位置に対応するｎ個の係数を生成するよう、前記係数生成部を設定する設定部と
を備えたことを特徴とする音像定位制御装置。
【請求項２】
請求項１に記載の音像定位制御装置において、
前記特定位置は複数あり、前記特定位置指示が検出される毎に、前記操作対象の入力チャンネルの音響信号の定位を、前記複数の特定位置の間で循環させて切り替えていくことを特徴とする音像定位制御装置。
【請求項３】
請求項１または２に記載の音像定位制御装置において、
前記特定位置は、前記ｎ個のスピーカーの配置位置に応じた位置とすることを特徴とする音像定位制御装置。
【請求項４】
請求項１から３の何れか１つに記載の音像定位制御装置において、
前記操作対象の入力チャンネルの音響信号の定位を、前記設定操作子の操作により前記特定位置に設定した後、さらにその定位をユーザが調整するための調整操作子を備えたことを特徴とする音像定位制御装置。
【発明の詳細な説明】
【技術分野】
【０００１】
この発明は、簡単な操作で所定のチャンネルの信号の音像を特定の定位位置に設定することができる音像定位制御装置に関する。
【背景技術】
【０００２】
従来より、３スピーカシステムや複数チャンネル（ｃｈ）サラウンドシステムにおいて音像の定位（Sound Localization）を調整する技術が知られている（例えば、特許文献１）。具体的には、いわゆるサラウンドパン機能を有するデジタルミキサが知られている（例えば、非特許文献１参照）。これは、デジタルミキサにおいて、５．１ｃｈ等のサラウンドミキシングを行うとき、ジョイスティックやエンコーダを操作することにより、各入力ｃｈの信号の２次元平面内の音像定位を調整する機能である。
【先行技術文献】
【特許文献】
【０００３】
【特許文献１】特許第３９１８６７９号
【非特許文献】
【０００４】
【非特許文献１】Digital Production Console DM2000,Ver.2,取扱説明書，2004-2011年（サラウンドパン機能の説明参照）
【発明の概要】
【発明が解決しようとする課題】
【０００５】
デジタルミキサなどの複数の出力系統を備えた音響システムでは、特定のバス、特定の出力ｃｈ、あるいは特定のスピーカだけに信号を送りたい場合がある。例えば、予めサラウンドミキシングされた音響信号が、当該音響システムに供給される場合などである。このような場合、従来の音像定位の調整機能では、ジョイスティックやエンコーダを用いて各入力ｃｈの信号を対応するスピーカだけに送るように音像の定位を設定するしかなく、操作上、面倒であった。また、ジョイスティックなどで位置が少しずれると他のスピーカにも音が漏れてしまうという不具合があった。
【０００６】
本発明は、簡単な操作で、特定のバスなど、特定位置に音像を定位させることができる音像定位制御装置を提供することを目的とする。
【課題を解決するための手段】
【０００７】
上記目的を達成するため、請求項１に係る発明は、複数の入力チャンネルの各音響信号に関して、その音響信号の音像の定位を制御する音像定位制御装置であって、ユーザから特定位置指示を受け付けるための指示操作子と、予め決められた位置に配置されるｎ個のスピーカーに対応するｎ本の混合バスと、１つの入力チャンネルの音響信号の定位を制御するｎ個の係数を生成する係数生成部と、その入力チャンネルの音響信号のレベルを、前記ｎ個の係数でそれぞれ制御し、得られたｎ個の音響信号を前記ｎ本の混合バスへそれぞれ供給するレベル制御部と、ユーザによる前記特定位置指示が検出されたとき、前記特定位置に対応するｎ個の係数を生成するよう、前記係数生成部を設定する設定部とを備えたことを特徴とする。
【０００８】
請求項２に係る発明は、請求項１に記載の音像定位制御装置において、前記特定位置は複数あり、前記特定位置指示が検出される毎に、前記操作対象の入力チャンネルの音響信号の定位を、前記複数の特定位置の間で循環させて切り替えていくことを特徴とする。
【０００９】
請求項３に係る発明は、請求項１または２に記載の音像定位制御装置において、前記特定位置は、前記ｎ個のスピーカーの配置位置に応じた位置とすることを特徴とする。
【００１０】
請求項４に係る発明は、請求項１から３の何れか１つに記載の音像定位制御装置において、前記操作対象の入力チャンネルの音響信号の定位を、前記設定操作子の操作により前記特定位置に設定した後、さらにその定位をユーザが調整するための調整操作子を備えたことを特徴とする。
【発明の効果】
【００１１】
本発明によれば、簡単な操作で、特定のバスなど、特定位置に音像を定位させることができる。
【図面の簡単な説明】
【００１２】
【図１】この発明を適用した一実施形態であるデジタルミキサのハードウェア構成図
【図２】ミキシング処理の機能構成図
【図３】操作パネルの一部外観図
【図４】５．１ｃｈサラウンドのスピーカ位置と定位制御の説明図
【図５】ハードＰボタンによる定位制御、および、Ｇつまみによる定位制御の説明図
【図６】Ｘつまみ操作時、ハードＰボタン操作時、およびＧつまみ操作時の処理の手順を示すフローチャート
【図７】５係数の算出式を示す図
【発明を実施するための形態】
【００１３】
以下、図面を用いて本発明の実施の形態を説明する。
【００１４】
図１は、この発明の実施の形態の音像定位制御装置を適用したデジタルミキサのハードウェア構成を示すブロック図である。中央処理装置（ＣＰＵ）１０１は、このミキサ全体の動作を制御する処理装置である。フラッシュメモリ１０２は、ＣＰＵ１０１が実行する各種のプログラムや各種のデータなどを格納した不揮発性メモリである。ランダムアクセスメモリ（ＲＡＭ）１０３は、ＣＰＵ１０１が実行するプログラムのロード領域やワーク領域に使用する揮発性メモリである。フラッシュメモリ１０２またはＲＡＭ１０３には、カレントメモリと呼ばれる記憶領域が設けられており、ＣＰＵ１０１は、該カレントメモリに記憶された各種パラメータに基づいて、後述する信号処理部１０８の動作を制御する。電動フェーダ１０４は、このミキサの操作パネル上に設けられたレベル設定用の操作子である。ＰＣ用Ｉ／Ｏ（入出力インターフェース）１０５は、ＰＣ（パーソナルコンピュータ）と接続するためのインターフェースである。
【００１５】
表示器１０６は、操作パネル上に設けられた各種の情報を表示するためのディスプレイである。操作子１０７は、操作パネル上に設けられたユーザが操作するための各種の操作子（電動フェーダ以外のロータリーエンコーダ、スイッチ、ボタン等）である。波形Ｉ／Ｏ（オーディオ信号入出力インターフェース）１０８は、外部機器との間で音響信号をやり取りするためのインターフェースである。信号処理部（ＤＳＰ）１０９は、ＣＰＵ１０１の指示に基づいて各種のマイクロプログラムを実行することにより、波形Ｉ／Ｏ１０８経由で入力した音響信号のミキシング処理、効果付与処理、及び音量レベル制御処理などを行い、処理後の音響信号を波形Ｉ／Ｏ１０８経由で出力する。バス１１０は、これら各部を接続するバスラインであり、コントロールバス、データバス、およびアドレスバスを総称したものである。なお、本明細書に記載されている「信号」は、特段の説明がない限り（制御信号であると説明されていない限り）、音響信号（オーディオ信号）を表すものである。
【００１６】
図２は、図１のシステムで実現するミキシング処理の機能構成図である。入力端子２０１は、マイクや楽器などの信号供給源から入力したアナログ音響信号をデジタル音響信号に変換して入力する複数の入力端子を示す。入力ｃｈ２０２は、カレントメモリに設定された各入力ｃｈ毎のパラメータに基づいて、各入力端子からのデジタル音響信号に対するレベル制御や周波数特性の調整処理などの信号処理を行う。ここでは２４個の入力ｃｈが設けてある。各入力ｃｈの出力は、少なくとも５本のバスを含むバス２０３のそれぞれに出力することができ、各バスへの送出レベルは入力ｃｈ毎に任意に設定できる。各バス２０３は、各入力ｃｈから入力した信号をミキシングする。ミキシングされた信号は、そのバスに対応する出力ｃｈ２０４に出力される。バス２０３と出力ｃｈ２０４とは、１本のバスが１本の出力ｃｈに１対１で対応している。各出力ｃｈは、カレントメモリに設定されたパラメータの値に基づいて出力側の各種の信号処理を行う。出力端子２０５は、出力ｃｈ２０４の各出力ｃｈからの音響信号をそれぞれアナログ音響信号に変換して出力する複数（ここでは５本）の出力端子を示す。
【００１７】
本実施形態のミキサは、最大２４ｃｈの入力信号を５．１ｃｈサラウンドの信号にミキシングするミキサである。上述した５本のバス２０３と、それに対応する５つの出力ｃｈ２０４と５本の出力端子２０５とは、それぞれ、５．１ｃｈサラウンドのＬ（前方左），Ｃ（前方中央），Ｒ（前方右），ＳＬ（後方左），ＳＲ（後方右）の系列に対応している。５本の出力端子２０５から出力された信号は、５つのパワーアンプで電力増幅されて、それぞれ対応する配置位置の５．１ｃｈサラウンド用の５つの各スピーカに供給される。なお、５．１ｃｈサラウンドにおけるＬＦＥ（低域効果）の音響信号については、５本のバスが出力する５音響信号からそれぞれ低周波数成分を取り出して混合することで生成できるが、音像の定位には全く影響しないので、ここではその説明を省略する。
【００１８】
図３は、本実施形態のデジタルミキサの操作パネルの外観（一部）を示す。３０１は、各種の情報を表示するディスプレイ（図１の１０６）である。表示器３０１の下側にｃｈストリップ部３０２（図１の１０４，１０７）が設けられている。ｃｈストリップ部３０２は所定の本数のｃｈストリップ３０２−１，３０２−２，…からなる。１本のｃｈストリップ、例えば３０２−１は、Ｇつまみ３２１、ＳＥＬスイッチ３２２、ＯＮスイッチ３２３、および電動フェーダ３２４などを備える。Ｇつまみ３２１は、音像定位の制御に用いるつまみ（ロータリーエンコーダ）であるが、その詳しい機能については後述する。ＳＥＬスイッチ３２２は、当該ｃｈストリップに割り当てられているｃｈを制御対象ｃｈ（選択ｃｈ）として選択するときに使用するスイッチである。ＯＮスイッチ３２３は、当該ｃｈストリップが割り当てられているｃｈのオン／オフを切り替えるスイッチである。電動フェーダ３２４は、割り当てられているｃｈのレベル調整用のフェーダである。
【００１９】
３０３は、ＳＥＬスイッチ３２２により選ばれた選択ｃｈに関する各種のパラメータを設定するための操作子を備えた選択ｃｈセクションである。選択ｃｈセクション３０３は、Ｘつまみ３３１、Ｙつまみ３３２、およびハードＰボタン３３３を備える。Ｘつまみ３３１とＹつまみ３３２は、音像の定位を制御する際に使用するｘ座標とｙ座標の変更用のつまみ（ロータリーエンコーダ）である。ハードＰボタン３３３は、音像の定位をワンタッチで特定位置に設定するためのボタンである。
【００２０】
図４（ａ）は、５．１ｃｈサラウンドのスピーカ位置と定位の説明図である。ＳＥＬスイッチ３２２で１つの選択ｃｈを選択すると、表示器３０１には、当該選択ｃｈに関する各種のパラメータを設定するための選択ｃｈ設定画面が表示されるが、該選択ｃｈ設定画面は図４（ａ）の定位設定用の画面を含んでいる。ユーザはこの画面を参照しながら当該選択ｃｈの音像の定位を制御することができる。４０１は、音像の定位を設定するための２次元ｘｙ座標系の表示である。この座標系は（ｘ，ｙ）＝（０，０）の位置にユーザが居るものとして設定している。また、座標の範囲は、−６３≦ｘ≦＋６３、−６３≦ｙ≦＋６３とする。図ではｘ＝０等の座標値を書き入れているが、これらは説明のために書き入れているものであり表示はされない。４１１〜４１５は、５．１ｃｈサラウンドにおけるスピーカの配置を示すスピーカアイコンの表示である。４１１は前方左（Ｌ）、４１２は前方中央（Ｃ）、４１３は前方右（Ｒ）、４１４は後方左（ＳＬ）、４１５は後方右（ＳＲ）の各スピーカを示す。４０２は音像の定位位置（音像座標）を示す丸印である。
【００２１】
図４（ｂ）は、ＸＹつまみの操作に応じた座標系４０１上での音像座標４０２の変更の様子を示す説明図である。図３のＸつまみ３３１およびＹつまみ３３２の操作に応じて、当該選択ｃｈの信号の音像の定位を制御（変更）できる。具体的には、Ｘつまみ３３１を右に回すと音像座標４０２が矢印４２１Ｒのように右に移動し、Ｘつまみ３３１を左に回すと音像座標４０２が矢印４２１Ｌのように左に移動する。Ｙつまみ３３２を右に回すと音像座標４０２が矢印４２１Ｕのように上に移動し、Ｙつまみ３３２を左に回すと音像座標４０２が矢印４２１Ｄのように下に移動する。なお、音像座標４０２が座標系４０１の外側に出ることはない。
【００２２】
図５（ａ）は、ハードＰボタン３３３のユーザ操作（特定位置指示）に応じた音像の定位（音像座標）の制御の説明図である。５０１は表示器３０１に表示されたｘｙ座標系（図４の４０１と同じ）であり、５０２は操作を行う前の選択ｃｈの信号の音像の定位位置を示す丸印である。以下の説明では、番号で指定される定位位置にあるとき、その音像座標の指定にもその番号を共用する。例えば、定位位置５０２にある音像座標は、音像座標５０２とされる。また、各定位位置は丸印によって示されているが、その定位位置に音像座標がないときには、画面には丸印が表示されない。音像座標が５０２にある状態で、ハードＰボタン３３３を押すと、音像座標が丸印５０２から丸印５０３（図４のスピーカＬの位置４１１、後述の丸数字１の位置）に移動する。続けてハードＰボタン３３３を押すと、音像座標が丸印５０４（図４のスピーカＣの位置４１２）に移動する。以下同様であり、図５（ｂ）に示すようにハードＰボタン３３３を押す毎に音像座標は丸数字の１→２→３→４→５→６と順に移動する。丸数字６の位置でハードＰボタン３３３を押すと、音像座標は丸数字１の位置に戻り、再び１→２→…というように移動させることができる。なお、丸数字３，４，５の位置は、順にスピーカＲ，ＳＲ，ＳＬの位置（図４の４１３，４１５，４１４）である。丸数字６の位置は、仮想的なユーザの位置である。
【００２３】
音像座標が何れかのスピーカの位置にあるときには、画面における音像座標を示す丸印の表示色を通常色とは異なる特別色に変更して、ユーザに一目で分かるようにしている。例えば、ハードＰボタン３３３が押されて、音像座標が図５（ａ）の位置５０２から位置５０３に移動するとき、位置５０３にある音像座標の丸印の表示色を通常色から特別色に変える。以下、図５（ｂ）のように音像座標が移動するときは、特別色のまま丸印を表示する。なお、丸数字６の位置については、実際はスピーカがないので、丸印を通常色で表示するようにしてもよい。
【００２４】
上記ハードＰボタン３３３を用いることで、例えば、ある入力ｃｈの信号に関して、その音像が５．１ｃｈの５つのスピーカのうちの特定のスピーカに定位するように、簡単な操作で設定できる。ユーザは、ＳＥＬスイッチ３２２によりその入力ｃｈを選択ｃｈとし、あとはその信号を聞きながらハードＰボタン３３３を押して定位位置を図５（ｂ）に示すように切り替えていき、その中で適正な位置を判断すればよい。例えば、ソースから供給される複数の音響信号が既にサラウンドの信号としてミキシングされた信号であり、それらの信号を他の音響信号とともに本ミキサで５．１ｃｈにミキシングしようとする場合は、ハードＰボタン３３３を用いて極めて簡単に、それらの信号を処理する複数の各入力ｃｈの定位位置を決定できる。
【００２５】
次に、Ｇつまみ３２１の操作に応じた定位制御について説明する。Ｇつまみ３２１は各ｃｈストリップ毎に設けられているので、Ｇつまみ３２１が操作されたとき、その操作されたＧつまみ３２１が属するｃｈストリップ３０２に割り当てられている入力ｃｈと、その時点の選択ｃｈとは、一致していることもあるし異なることもある。Ｇつまみ３２１による定位制御の対象となる入力ｃｈは、当該Ｇつまみ３２１が属するｃｈストリップ３０２に割り当てられている入力ｃｈである。
【００２６】
図５（ｃ）は、Ｇつまみ３２１の操作に応じた音像定位位置の制御の説明図である。５１０は、あるｃｈストリップ３０２のＧつまみ３２１が操作されたときの、そのＧつまみ３２１による定位制御の対象となる入力ｃｈの定位の状態を示すための座標系の表示である。この座標系５１０は、選択ｃｈに関して表示されている図４の座標系４０１や図５（ａ）の座標系５０１と同様の様式の表示である。ただし、選択ｃｈに関する座標系４０１，５０１の場合は、表示器３０１の画面の広い範囲に選択ｃｈに関するパラメータ設定を行うための選択ｃｈ設定画面を表示し、その一部として座標系４０１，５０１を表示するので、比較的大きな座標系を表示できる。それに対し、座標系５１０の場合は、例えば各ｃｈストリップ３０２−１，３０２−２，…の上部の表示器３０１の比較的狭い領域に、各ｃｈストリップに割り当てられている入力ｃｈの情報を表示し、その一部として座標系５１０を表示するので、小さな座標系しか表示できない。なお、通常は各ｃｈストリップに割り当てられている入力ｃｈ対応の座標系５１０を表示せず、Ｇつまみ３２１が操作されたときに座標系５１０をポップアップ表示するようにしてもよい。
【００２７】
図５（ｃ）において、５１１はＧつまみ３２１を回し始める直前の当該入力ｃｈの信号の音像座標を示す丸印である。ユーザがＧつまみ３２１を回し始めると、音像座標は、まず、５１１から５１２の位置に移動する。移動先の５１２は、（ｘ，ｙ）＝（０，０）の原点から現在の定位位置５１１に向けて仮想的な補助直線５１３を引き、その補助直線５１３が座標系５１０の周囲と交わる位置である。この音像座標５１２であれば、仮想的に原点に居るユーザからは、聞こえる方向が元の音像座標５１１と変わらないので、ユーザは、違和感なく操作を続けることができる。
【００２８】
そして、ユーザがＧつまみ３２１を回し続けると、Ｇつまみ３２１の操作量（回された回転量）に応じて、音像座標５１２は、座標系５１０の周囲（図５（ｃ）の下側の図では座標系の周囲に一点鎖線を重ねて図示した）を移動する。具体的には、Ｇつまみ３２１を右に回すと定位位置５１２は座標系５１０の周囲に沿って右回りの方向５２２に移動し、Ｇつまみ３２１を左に回すと定位位置５１２は座標系５１０の周囲に沿って左回りの方向５２１に移動する。
【００２９】
上記Ｇつまみを用いることで、ｃｈストリップ部３０の各ｃｈストリップに割り当てられているｃｈに対して、簡単な操作で定位の制御が可能となる。上述のハードＰボタン３３３と組み合わせて操作することも可能である。例えば、ハードＰボタン３３３で大まかに定位位置を移動させＧつまみ３２１で微調整したり、Ｇつまみ３２１で定位位置の制御を開始したが所望の方向とは全く異なる方向に定位していたのでそこからハードＰボタン３３３で大きく移動させる、などである。
【００３０】
図６（ａ）は、ユーザがＸつまみ３３１を操作したときの処理手順を示すフローチャートである。本処理は、Ｘつまみ３３１の操作が検出されたときに、ＣＰＵ１０１が実行する処理である。予め選択ｃｈは決定されているものとする。
【００３１】
まずステップ６０１で、Ｘつまみ３３１の操作量に応じて、カレントメモリ上の当該選択ｃｈの定位のｘ座標値を変更する。ステップ６０２では、変更後のｘ座標値に基づいて、画面中の音像座標（丸印）の表示位置を変更する。例えば、図４（ｂ）であれば、音像座標４０２を変更後のｘ座標値に対応する位置に移動（矢印４２１Ｒまたは４２１Ｌの方向）する。このとき、音像座標４０２が何れかのスピーカ位置にあれば、音像座標４０２の丸印は特別色で表示され、何れのスピーカ位置にもなければ、通常色で表示される。ステップ６０３では、カレントメモリ上の選択ｃｈの５係数を、音像座標（ｘ，ｙ）に応じて算出される値に変更する。
【００３２】
図７に、音像座標（ｘ，ｙ）に応じた５係数の算出式を示す。５係数とは、５．１ｃｈサラウンドの各スピーカへの出力レベルを規定する係数である。図７において、ＣＬは、当該選択ｃｈ（である入力ｃｈ２０２）から前方左スピーカＬに対応するバス２０３へ送出する信号に乗算する係数である。同様に、ＣＣ，ＣＲ，ＣＳＬ，およびＣＳＲは、当該選択ｃｈから前方中央スピーカＣ、前方右スピーカＲ、後方左スピーカＳＬ、および後方右スピーカＳＲに対応するそれぞれのバス２０３へ送出する信号に乗算する係数である。なお、これは一例であり、５係数の算出式としては、５つのスピーカから放音される当該選択ｃｈの音の音像が結果的に音像座標（ｘ，ｙ）に対応する位置に定位できるのであれば、どのような式を適用してもよい。
【００３３】
再び図６（ａ）に戻って、ステップ６０３でカレントメモリ上の５係数を書き換えたら、ＣＰＵ１０１は、該新たな５係数の値を信号処理部１０９に送り、信号処理部１０９により実現している図２のミキシング処理における当該選択ｃｈからバス２０３へのセンドレベルに反映させる。これにより、放音される当該選択ｃｈの音の音像の定位が、Ｘつまみ３３１で変更された音像座標に対応する位置となる。ステップ６０３の後、ステップ６０４でＨＰＳを０に初期化して、終了する。
【００３４】
ここでＨＰＳについて説明する。ＨＰＳは、カレントメモリ上に確保されている指標情報（および該指標情報を設定するメモリ領域）であり、ハードＰボタン３３３を用いて定位座標を特定位置を設定したときに、ＣＰＵ１０１がその特定位置に対応する値を書き込む領域である。ハードＰボタン３３３を用いることなくＸつまみ３３１およびＹつまみ３３２で定位位置を変更している間は、ＨＰＳには０が書き込まれる。また、ハードＰボタン３３３の操作により、音像座標が図５（ｂ）の丸数字１，２，３，４，５，６の位置に移動したとき、ＨＰＳには順に１，２，３，４，５，６が書き込まれる。ステップ６０４でＨＰＳ＝０と初期化しているので、Ｘつまみ３３１で定位位置を制御している間は、ＨＰＳ＝０の状態が維持される。
【００３５】
上記図６（ａ）ではＸつまみ３３１の操作時の処理を示したが、Ｙつまみ３３２の操作時の処理も同様である。上記の説明で、「Ｘつまみ３３１」を「Ｙつまみ３３２」に、「ｘ座標値」を「ｙ座標値」に、読み替えればよい。音像座標４０２の移動方向は、矢印４２１Ｌ，４２１Ｒの代わりに矢印４２１Ｕ，４２１Ｄとなる。
【００３６】
図６（ｂ）は、ユーザがハードＰボタン３３３を操作したときの処理手順を示すフローチャートである。本処理は、ハードＰボタン３３３の操作、すなわち、特定位置指示が検出されたときに、ＣＰＵ１０１が実行する処理である。まずステップ６１１で、ＨＰＳが０か否かを判別する。ＨＰＳ＝０のときは、ステップ６１２でＨＰＳ＝１に設定する。これは、Ｘつまみ３３１やＹつまみ３３２で定位制御を行う状態からハードＰボタン３３３が押されて、ハードＰボタン３３３による定位制御のモードに入ったことを示す。例えば、図５（ａ）の音像座標５０２の状態からハードＰボタン３３３が押されて音像座標が位置５０３に移動したケースである。ステップ６１１でＨＰＳ＝０でないときは、ステップ６１３でＨＰＳをインクリメント（＋１）する。ただし、元がＨＰＳ＝６のときはＨＰＳ＝１に戻す。これは、ハードＰボタン３３３による定位制御のモードに入った状態でハードＰボタン３３３の押下を検出したので、図５（ｂ）に示す順序に沿ってＨＰＳを更新する処理である。
【００３７】
ステップ６１２，６１３の後、ステップ６１４では、ＨＰＳの値に応じた座標値を、カレントメモリ上の当該選択ｃｈの音像座標（ｘ，ｙ）に設定する。具体的には、ＨＰＳ＝１から６に対し順に（ｘ，ｙ）＝（−６３，６３），（０，６３），（６３，６３），（６３，−６３），（−６３，−６３），（０，０）を音像座標（ｘ，ｙ）として設定する。これらの座標値から分かるように、音像座標が、ＨＰＳ＝１から６に対して順に図５（ｂ）の丸数字１から６の位置となるようにｘｙ座標を設定している。次に、ステップ６１５で、設定した音像座標（ｘ，ｙ）に応じて、表示している座標系内の音像座標を示す丸印の位置を更新する。その際、その丸印の表示色は、音像座標が何れかのスピーカ位置にあることを示す特別色とする。ステップ６１６で、当該選択ｃｈの５係数を、ステップ６１４で設定した音像座標に応じて算出される値に変更する。この処理はステップ６０３と同じである。
【００３８】
図６（ｃ）は、ユーザがＧつまみを操作した時の処理手順を示すフローチャートである。本処理は、複数あるｃｈストリップ３０２のうち何れかのｃｈストリップのＧつまみ３２１の操作が検出されたときに、ＣＰＵ１０１が実行する処理である。
【００３９】
まずステップ６２１で、当該ｃｈストリップに割り当てられている入力ｃｈ（以下、当該ｃｈと呼ぶ）の現在の音像座標が座標系の外周上にあるか否かを判定する。外周上に無い場合は、ステップ６２２で、当該ｃｈの音像座標（ｘ，ｙ）を、角度を保ったまま座標系の外周上へ移動する。これは、図５（ｃ）で説明した位置５１１から５１２への移動に相当する。ステップ６２１で外周上にあったときは、ステップ６２３で、Ｇつまみ３２１の操作量に応じて、当該ｃｈの音像座標（ｘ，ｙ）を座標系の外周上で移動する。ステップ６２２ないし６２３の後、ステップ６２４で、音像座標（ｘ，ｙ）の移動に応じて、図５（ｃ）で説明したように表示を更新する。
【００４０】
次にステップ６２５で、当該ｃｈの５係数を、ステップ６２２，６２３で設定した音像座標（ｘ，ｙ）に応じて制御する。この処理はステップ６０３と同じである。ステップ６２６で、Ｇつまみ３２１が操作されたｃｈストリップに割り当てられているｃｈが選択ｃｈと同じか判定する。同じなら、ステップ６２７でＨＰＳ＝０に初期化する。同じでないなら、そのまま処理を終了する。ステップ６２６，６２７の処理は、要するに、Ｇつまみ３２１が操作されたｃｈストリップに割り当てられているｃｈが選択ｃｈと同じなら、Ｘつまみ３３１とＹつまみ３３２による通常の定位制御のモードに戻ることを意味している。
【００４１】
上記実施形態のミキサにおけるｃｈ数やバス数は一例であり、それぞれ任意の数であってよい。また、上記実施形態はｘｙ座標系で音像定位を制御する定位制御装置としたが、本発明は、極座標系で音像定位を制御する定位制御装置にも適用できる。
【符号の説明】
【００４２】
１０１…中央処理装置（ＣＰＵ）、１０２…フラッシュメモリ、１０３…ＲＡＭ、１０４…電動フェーダ、１０６…表示器、１０７…操作子、１０８…波形Ｉ／Ｏ、１０９…信号処理部。
【図１】
2016096420.tif 000003
【図２】
2016096420.tif 000004
【図３】
2016096420.tif 000005
【図４】
2016096420.tif 000006
【図５】
2016096420.tif 000007
【図６】
2016096420.tif 000008
【図７】
2016096420.tif 000009